(57)【特許請求の範囲】
【請求項１】
壁面に取り付けられ、壁内から引き出された壁内配線が接続される接続端子を有する取付板と、前記取付板に取り付けられ、前記取付板と対向する面にコネクタを有する本体と、前記接続端子に一端が、前記コネクタに他端が接続された装置内配線と、前記装置内配線の一部と係合するたるみ防止用フックとを備えた壁掛けコントローラ装置。
【請求項２】
前記たるみ防止用フックは、前記コネクタを挟んで、前記接続端子と反対側に設けられていることを特徴とする請求項１に記載の壁掛けコントローラ装置。
【請求項３】
前記たるみ防止フックと前記コネクタと前記接続端子は、いずれも前記壁掛けコントローラ装置の左右いずれか一方に設けられていることを特徴とする請求項２に記載の壁掛けコントローラ装置。
【請求項４】
前記たるみ防止用フックを挟んで、前記コネクタが前記壁掛けコントローラ装置の左右いずれか一方に、前記接続端子が他方に設けられていることを特徴とする請求項２に記載の壁掛けコントローラ装置。
【請求項５】
前記たるみ防止用フックは、掛け止め部と抜け止め部を有することを特徴とする請求項１から請求項４のいずれか１項に記載の壁掛けコントローラ装置。
【請求項６】
前記抜け止め部は変形可能に形成されることを特徴とする請求項５に記載の壁掛けコントローラ装置。
【発明の詳細な説明】
【技術分野】
【０００１】
この発明は、壁面に取り付けられて、屋内外に設置された機器と電気的に接続される壁掛けコントローラ装置に関する。
【背景技術】
【０００２】
住宅用インターホン装置や給湯機操作リモコンなどに代表される離れた場所に設置された電気機器を制御する壁掛けコントローラ装置を設置するには、壁内電気配線工事を伴う取り付け作業を必要とする。
【０００３】
例えば、室外に設けられたインターホン子機と応答するインターホン親機を居間などの所望の壁面に取り付ける方法としては、この壁面に固定した壁掛金具に、取り付け位置から引き出した電気配線を一旦接続し、壁掛金具と本体との間の配線の接続作業を行った後、本体を壁掛金具に合体させて組み付けるものがある（例えば、特許文献１参照）。
【先行技術文献】
【特許文献】
【０００４】
【特許文献１】特開２００３−１２５０８９号公報（第１項、第５図）
【発明の概要】
【発明が解決しようとする課題】
【０００５】
しかしながら、上記のように壁掛金具と本体とに接続される配線は、接続作業を考慮した長さに設定する必要があるため、壁掛金具と本体とを組み付ける際に配線にたるみが生じることになり、配線が壁掛金具と本体との間に挟まれて損傷するという問題点があった。
【０００６】
本発明は、上述した問題点を解決するためになされたものであり、取り付け時に生じる配線の損傷を防止できる壁掛けコントローラ装置を得ることを目的とする。
【課題を解決するための手段】
【０００７】
この発明に係る壁掛けコントローラ装置は、
壁面に取り付けられ、壁内から引き出された壁内配線が接続される接続端子を有する取付板と、取付板に取り付けられ、取付板と対向する面にコネクタを有する本体と、接続端子に一端が、コネクタに他端が接続された装置内配線と、装置内配線の一部と係合するたるみ防止用フックとを備えたものである。
【発明の効果】
【０００８】
本発明に係る壁掛けコントローラ装置によれば、簡単な構成により、取り付け時に生じる配線の損傷を防止することができる。
【図面の簡単な説明】
【０００９】
【図１】この発明の実施の形態１を示す壁掛けコントローラ装置の分解斜視図である。
【図２】この発明の実施の形態１における壁掛けコントローラ装置の要部側面断面図である。
【図３】この発明の実施の形態１におけるたるみ防止用フックの形状の一例を示す図である。
【図４】この発明の実施の形態１における壁掛けコントローラ装置を壁面に取り付ける方法についての説明図である。
【図５】この発明の実施の形態２における壁掛けコントローラ装置を背面からみた透視斜視図である。
【発明を実施するための形態】
【００１０】
実施の形態１．
この発明の実施の形態1における壁掛けコントローラ装置について図１〜図３を用いて説明する。壁掛けコントローラ装置１００は、図１および図２に示すように本体１０と、本体１０を壁面４０に固定する取付板２０とで構成されている。この壁掛けコントローラ装置１００は、壁面４０の内側に配線される壁内配線４２を通じて、電源を得るとともに、壁掛けコントローラ装置１００とは離れた場所に設置された例えば、太陽光発電装置や給湯機（図示せず）等の電気機器と接続されて、電気機器を遠隔操作する。
【００１１】
本体１０は、意匠カバー１１と本体基板１２とで構成され、本体基板１２には、所定の画像を表示する表示部パネル１２ａ、表示パネル１２ａを動作させる電気部品群１２ｂ、操作部１２ｃが内装されている。表示パネル１２ａには、液晶ディスプレイを用いたもの、プラズマディスプレイを用いたもの、有機ＥＬディスプレイを用いたもの等がある。電気部品群１２ｂは、図２に示すように本体基板１２の背面に設けられるほか、本体基板１２の前面に設けられることもある。操作部１２ｃは、例えば、壁掛けコントローラ装置１００と離れた場所に設置される電気機器の電源をオン・オフするボタンや、表示パネル１２ａの明るさや表示時間を調整するボタン等で構成される。表示パネル１２ａには、壁掛けコントローラ装置１００と離れた場所に設置される電気機器の状態や、操作部１２ｃを構成するボタンの使い方等が表示される。また、本体基板１２にさらにスピーカ等を備え、電気機器の操作方法を読み上げる構造を有していてもよい。
【００１２】
意匠カバー１１は、例えば合成樹脂を用いて本体基板１２を覆うよう形成される。意匠カバー１１には、表示パネル１２ａおよび操作部１２ｃと接する位置に開口が形成され、本体基板１２と一体となって、本体１０を形成する。なお、表示パネル１２ａと操作部１２ｃの位置関係は、図１および図２に示した以外にも例えば、操作部１２ｃが表示パネル１２ａの上部にあってもよいし、表示パネル１２ａの左右に操作部１２ｃを構成するボタンが縦に並ぶように配置されていてもよく、例示する以外の配置であってもよい。
【００１３】
取付板２０は、図示しない取り付けねじ等で壁面４０に固定される。壁掛けコントローラ装置１００が取り付けられる壁面４０には、壁内配線４２を引き出す取付用穴４１が設けられ、引き出された壁内配線４２は、取付板２０の本体１０に対向する面、すなわち取付板２０の前面に設けられた接続端子２１に一旦接続される。壁内配線４２は、上述した電源を供給する線や、離れた場所の電気機器と通信する信号線が束ねられている。電源線と通信線は、別線に分離されていてもよいし、通信信号を電源に重畳して、配線本数を減らすように構成されていてもよい。
【００１４】
接続端子２１には、壁内配線４２が接続されるとともに装置内配線１４の一端が接続される。装置内配線１４の他端には、コネクタ１４ａが取り付けられ、コネクタ１４ａは、本体基板１２の背面に設けられた本体コネクタ１３に挿抜できる形状を有する。本体基板１２の背面には、本体コネクタ１３のほかにたるみ防止用フック３０が取付板２０に対向する方向に突設され、装置内配線１４の一部と係合できるようになっている。
【００１５】
図３（ａ）および図３（ｂ）は、本体１０の一部を背面側からみた拡大斜視図であり、たるみ防止用フック３０が本体基板１２に突設している例を示している。たるみ防止用フック３０は、図３（ａ）に示すように、装置内配線１４が本体基板１２に掛けられる掛け止め部３０ａと、装置内配線１４が掛け止め部３０ａから外れるのを防止する抜け止め部３０ｂとから構成される。抜け止め部３０ｂは、本体基板１２の背面方向に突出するよう形成されていてもよいし、別の例として図３（ｂ）に示すように、本体基板１２の背面に当接し、その当接する部分が取付板２０の方向即ち背面方向に押し広げられるように変形可能に形成されていてもよい。
【００１６】
図２において例えば、接続端子２１と本体コネクタ１３との鉛直方向の距離をＹｔｃ、たるみ防止用フック３０と本体コネクタ１３との鉛直方向の距離をＹｆｃとすると、略長さ（Ｙｆｃ×２＋Ｙｔｃ）を有する装置内配線１４が本体１０と取付板２０との間の空間に収納される。壁掛けコントローラ装置１００の製品高さを例えば１０ｃｍとし、接続端子２１が取付板２０の最下部近傍に、本体コネクタ１４ａが本体基板１２の垂直方向中央部近辺に、たるみ防止用フック３０が本体基板１２の最上部近傍にそれぞれ設けられる場合、装置内配線１４の長さは略１５ｃｍとなる。なお、上述した接続端子２１、本体コネクタ１３、たるみ防止用フック３０の位置は一例であり、壁掛けコントローラ装置１００の製品サイズや本体基板１２および取付板２０の部品配置制約を鑑みて決定することができる。
【００１７】
たるみ防止用フック３０は、本体コネクタ１３を挟んで接続端子２１の反対側に配置されている。なお、図２において、たるみ防止用フック３０を上方、接続端子２１を下方に設けているが、図示した例とは逆にたるみ防止用フック３０を下方、接続端子２１を上方に設けてもよい。
【００１８】
意匠カバー１１の側面には、片状の係止爪部１１ａ〜１１ｄが取付板２０に対向する方向に突出し、係止爪部１１ａ〜１１ｄが取付板２０と向かい合う位置には、係止部２０ａ〜２０ｄがそれぞれ係止爪部１１ａ〜１１ｄに嵌合される形状に刻装されている。係止爪部１１ａ〜１１ｄおよび係止部２０ａ〜２０ｄは、それぞれ意匠カバー１１および取付板２０の上下辺でなく、左右辺にあってもよいし、上下辺と左右辺の両方にあってもかまわない。
【００１９】
次に、このように構成された壁掛けコントローラ装置１００の取り付け動作について説明する。図１において、意匠カバー１１に本体基板１２を挿入して組み込み、本体１０を形成する。本体１０は、取り付け作業現場以外で形成して、あらかじめ準備しておいてもよい。
【００２０】
まず、壁掛けコントローラ装置１００を取り付ける壁面４０に取付用穴４１を開け、取付用穴４１から壁内配線４２を引き出して、壁掛けコントローラ装置１００に供給される電源線と遠隔操作対象機器との通信信号線を得る。引き出した壁内配線４２は、通孔２２を貫通して取付板２０の前面で接続端子２１と結線後、図示しない取り付けねじで取付板２０を壁面４０に固定する。
【００２１】
次に、装置内配線１４のコネクタ１４ａが取り付けられていない方の端部を接続端子２１に結線し、図４（ａ）に示すように本体１０の背面が取付板２０の前面に対向するように持ち、本体１０と取付板２０との間にコネクタ１４ａを把持した片手が入る程度の空間が得られるよう離しておく。この距離を保持し、本体１０を取付板２０に対向させたまま、図４（ｂ）に示すように接続端子２１と本体コネクタ１３が略同じ高さになるまで本体１０を鉛直方向下方に移動させる。その後、図４（ｃ）に示すようにコネクタ１４ａを本体コネクタ１３に挿入して、以後、本体基板１２に電源線および遠隔操作対象機器との通信信号線が導通される。
【００２２】
次に、本体１０を再び鉛直方向下方に移動させて、図４（ｄ）に示すようにたるみ防止用フック３０と接続端子２１とを略同じ高さにする。そして図４（ｅ）に示すように、結線を終えた装置内配線１４をたるみ防止用フック３０に引っ掛けた後、本体１０を取付板２０の前面に向けて移動させる。このとき、たるみ防止用フック３０の先端が図３（ａ）に示すように本体基板１２の背面方向に突起する形状、または図３（ｂ）に示すように先端付近が本体基板１２の背面に当接し、その当接部分が取付板２０の方向即ち背面方向に押し広げられるように変形可能な弾性を有する形状であれば、本体１０を移動させる際にたるみ防止用フック３０と係合される装置内配線１４の一部がたるみ防止用フック３０から外れるのを防止することができる。
【００２３】
たるみ防止用フック３０が本体コネクタ１３を挟んで、接続端子２１の下側に突設されている場合は、図４（ｄ）において、本体１０を鉛直方向上方に移動させて、たるみ防止用フック３０と接続端子２１とを略同じ高さにしたあと、図４（ｅ）において、コネクタ１３への結線を終えた装置内配線１４をたるみ防止用フック３０に引っ掛けた後、本体１０を下奥方向へ押し下げて取付板２０の前面に到達させる。
【００２４】
最後に係止爪部１１ａ〜１１ｄをそれぞれ係止部２０ａ〜２０ｄに合わせて、本体１０を取付板２０に係止めし、壁掛けコントローラ装置１００の取り付け工事を完了する。
【００２５】
以上述べたように、この実施の形態1にて示した壁掛けコントローラ装置によれば、取付板２０から引き出した装置内配線１４を本体１０に接続した後、装置内配線１４の一部をたるみ防止用フック３０にかけて、たるみを解消した後本体１０を取付板２０に合体させるので、装置内配線１４が本体１０と取付板２０との間に挟み込まれることなく、取り付け時に生じる配線の損傷を防止することができる。
【００２６】
また、例えば上述したような製品サイズおよび接続端子２１、本体コネクタ１３、たるみ防止用フック３０の配置にもとづいた壁掛けコントローラ装置１００では、図４（ａ）に示す取り付け作業において、本体１０と取付板２０との間に装置内配線１４の長さに略等しい１５ｃｍのスペースが得られることになり、配線作業を容易に行うことができる。
【００２７】
実施の形態２．
この発明の実施の形態２の壁掛けコントローラ装置を図５に基づいて説明する。図５は、背面からみた壁掛けコントローラ装置の透視斜視図であり、本体基板１２の表面側に内装される表示パネル１２ａ、操作部１２ｃを省略している。実施の形態２では、実施の形態１と同様に、たるみ防止用フック３０は、本体コネクタ１３を挟んで接続端子２１と反対側に設けられている。具体的には、図示のように、取付板２０を背面からみた右辺下側に接続端子２１、本体基板１２を背面からみた左辺側に本体コネクタ１３を配置し、たるみ防止用フック３０は、本体コネクタ１３および接続端子２１を左右に見渡す位置であって、かつ、鉛直方向に本体コネクタ１３を挟んで接続端子２１の上側に突設される。なお、実施の形態１で述べたのと同様に、本体コネクタと接続端子２１とたるみ防止用フック３０との鉛直方向の位置関係および水平方向の位置関係は、図５に示したのと対称になっていても構わない。
【００２８】
図５において、本体コネクタ１３およびたるみ防止用フック３０は、電気部品群１２ｂが集中する本体基板１２の中心部を避けて配置するのが望ましい。配線後の装置内配線１４は、たるみ防止用フック３０と係合する部分に向けて、自然なたわみによる湾曲を形成して、電気部品群１２ｂと重なることなく、本体１０と取付板２０との間の空間に収納される。本体１０と取付板２０との間の空間に収納される装置内配線１４の長さＷｔｃは、式（１）で近似される。
【００２９】
【数１】
0006328030.tif 000002
【００３０】
ここで、Ｗｔｃは装置内配線１４の長さ、Ｙｆｃはたるみ防止用フック３０と本体コネクタ１３との鉛直方向の距離、Ｙｔｃは接続端子２１と本体コネクタ１３との鉛直方向の距離、Ｘｆｔは接続端子２１とたるみ防止用フック３０との水平方向の距離、Ｘｆｃはたるみ防止用フック３０と本体コネクタ１３との水平方向の距離を示す。但し、式（１）は、楕円の円周を式（２）に示す近似式で得られることを利用している。
【００３１】
【数２】
0006328030.tif 000003
【００３２】
ここで、Ｌは楕円の円周、ａは楕円の長径、ｂは楕円の短径を示す。
【００３３】
以上、実施の形態２に係る壁掛けコントローラ装置によれば、実施の形態１と同様の効果を奏することができる。すなわち、装置内配線１４が本体１０と取付板２０との接合部に挟み込まれることなく、取り付け時に生じる配線の損傷を防止することができる。
【００３４】
また、実施の形態２では、接続端子２１と本体コネクタ１３とを壁掛金具２０と本体基板１２のそれぞれ水平方向に対向して配置しているので、本体１０と取付板２０との間の空間にたるみなく収納される装置内配線１４の長さを実施の形態１よりも長くすることができ、図４（ａ）における本体１０と取付板２０との間の配線作業スペースを更に大きくできるので、その結果装置内配線１４の配線作業をさらに容易にできる。
【００３５】
また、装置内配線１４の一部をたるみ防止用フック３０と係合して、本体１０と取付板２０との間の空間に水平方向に架け通すことにより、装置内配線１４の配線面積が広くなり、電源供給や通信で発生する熱を放出できるので、壁掛けコントローラ装置１００の内部で熱が局所的に溜まるのを抑えることもできる。
【００３６】
なお、上記各実施の形態に示した壁掛けコントローラ装置は、離れた場所に設置された電気機器を制御する壁掛けコントローラ装置として説明したが、例えば浴室用テレビのように浴室等を含む壁面に取り付けられて、壁内配線が接続される他の用途に使用されても良いことは言うまでもない。
【符号の説明】
【００３７】
１０  本体、  １１  意匠カバー、  １１ａ〜１１ｄ  係止爪部、  １２  本体基板、
１２ａ  表示パネル、  １２ｂ  電気部品群、  １２ｃ  操作部、
１３  本体コネクタ、  １４  装置内配線、  １４ａ  装置内配線コネクタ、
２０  取付板、  ２０ａ〜２０ｄ  係止部、  ２１  接続端子、  ２２  通孔、
３０  たるみ防止用フック、  ３０ａ  掛け止め部、  ３０ｂ  抜け止め部、
４０  壁面、  ４１  取付用穴、  ４２  壁内配線、
１００  壁掛けコントローラ装置。
【図１】
0006328030.tif 000004
【図２】
0006328030.tif 000005
【図３】
0006328030.tif 000006
【図４】
0006328030.tif 000007
【図５】
0006328030.tif 000008